(57)【要約】【課題】換気性の良好な軒先換気唐草を提供する。【解決手段】野地板１に断熱下地材２を介して屋根板３が敷設されてなる横葺き屋根に設けられる軒先換気唐草４Ａにあって、前記野地板１に載置固定される載置部５と、前記載置部５の軒先側で下方に折曲される垂下部７と、前記垂下部７の上部からさらに軒外方に突出する延出部８と、前記延出部８の外端から立ち上がる屋根係止部９と、を一体的に備え、前記延出部８には、前記野地板１と屋根板３の間に外気を導入するための換気口１０を開設している。【選択図】  図１
2005325543.tif 000002
【特許請求の範囲】
【請求項１】
野地板（１）に断熱下地材（２）を介して屋根板（３）が敷設されてなる横葺き屋根に設けられる軒先換気唐草（４Ａ）であって、
前記野地板（１）に載置固定される載置部（５）と、前記載置部（５）の軒先側で下方に折曲される垂下部（７）と、前記垂下部（７）の上部からさらに軒外方に突出する延出部（８）と、前記延出部（８）の外端から立ち上がる屋根係止部（９）と、を一体的に備え、
前記延出部（８）には、前記野地板（１）と屋根板（３）の間に外気を導入するための換気口（１０）が開設されることを特徴とする軒先換気唐草。
【請求項２】
前記延出部（８）の両側には、虫や小動物の侵入を阻止するための金網（１５）を嵌め込むガイド溝（８ａ）（８ａ）が形成され、前記換気口（１０）が前記金網（１５）によって覆われることを特徴とする軒先換気唐草。
【請求項３】
請求項１又は２に記載の前記軒先換気唐草（４Ａ）を備え、
前記軒先換気唐草（４Ａ）の野地板（１）の軒先側端部を破風板（６）の外面と一致させ、前記軒先換気唐草（４Ａ）の垂下部（７）によって、前記野地板（１）の軒先側端部と破風板（６）の外面の上縁を覆うと共に、前記軒先換気唐草（４Ａ）の延出部（８）に開設した換気口（１０）から導入した外気を、前記断熱下地材（２）の下面に形成した換気溝（１１）を経由させて、棟側に設けた換気棟（１２）から排出させることを特徴とする横葺き換気屋根。
【請求項４】
屋根改修時に、既設の屋根材（４１）をそのまま残して、該屋根材（４１）の上に断熱下地材（２）を介して敷設される屋根板（３）を固定するための改修用軒先換気唐草（４Ｂ）であって、
前記屋根材（４１）に載置固定される載置部（４２）と、前記載置部（４２）の軒先側で上方に折曲される立上部（４３）と、該立上部（４３）の上に形成される屋根係止部（４４）と、該屋根係止部（４４）と立上部（４３）との間から軒外方に突出する平坦部（４５）の軒先端から下方に垂下する垂下部（４６）と、を一体的に備え、
前記立上部（４３）には、前記野地板（１）と屋根板（３）の間に外気を導入するための換気口（４７）が開設され、かつ、前記垂下部（４７）と前記屋根材（４１）の軒先側端部との間に所定間隔置きに配設される間装部材（４８）により、唐草本体が前記屋根材（４１）に対して位置決めされることを特徴とする改修用軒先換気唐草。
【請求項５】
前記立上部（４３）の両側には、虫や小動物の侵入を阻止するための金網（１５）を嵌め込むガイド溝（４３ａ）（４３ａ）が形成され、前記換気口（４７）が前記金網（１５）によって覆われることを特徴とする請求項４に記載の改修用軒先換気唐草。
【請求項６】
請求項４又は５に記載の前記改修用軒先換気唐草（４Ｂ）を備え、
前記改修用軒先換気唐草（４Ｂ）の立上部（４３）に開設した換気口（４７）から導入した外気を、前記断熱下地材（２）の下面に形成した換気溝（１１）を経由させて、棟側に設けた換気棟（１２）から排出させることを特徴とする改修横葺き換気屋根。
【発明の詳細な説明】
【技術分野】
【０００１】
本発明は、野地板に断熱下地材を介して屋根板が敷設されてなる横葺き屋根に設けられる軒先換気唐草、横葺き換気屋根、改修用軒先換気唐草及び改修横葺き換気屋根に関する。
【背景技術】
【０００２】
野地板に断熱下地材を介して金属の屋根板を敷設する横葺き屋根では、その軒先側の屋根板を固定するため及び雨水を軒樋に排水させるために軒先唐草が設けられる（例えば、特許文献１参照）。このような軒先唐草では、例えば、図１２に示すように、破風板６１に支持される軒樋６２と対応させるために、破風板６１からさらに軒外方に５０ｍｍ程度延出した野地板６３の先端部に唐草本体の載置部６４を載置して屋根板６６の軒先端を係止固定するように取り付けられていた。
【０００３】
このような軒先構造では、軒樋６２に落ちた雨水が跳ね返って野地板６３の裏面に当たることによって野地板６３を腐食させることがあった。また、防火地域における耐火構造の場合、鉄板等の不燃材６５で破風板６１から突出した野地板６３の先端部裏面を被覆する必要があった。
【特許文献１】特開２０００−２２６９１４号公報
【発明の開示】
【発明が解決しようとする課題】
【０００４】
しかしながら、上述のように、野地板６３の先端部裏面を被覆材６５で覆ってしまうと屋根裏面の換気性が低下し、屋根内部に結露を生じて野地板６３や屋根板６６又は固定金具を腐食させることがあった。また、野地板６３の裏面を被覆材６５で被覆するため、屋根の施工コストが高くなる問題もあった。
【０００５】
一方、老朽化した屋根を新しい屋根に葺き替える改修工事を行う場合、施工期間中雨水の漏れをなくし、かつ、廃材を出さずにコスト安に施工するために、既設の石綿スレート屋根やアスファルトルーフィング、野地板等の屋根材をそのまま残して、その上に新しい断熱下地材を介して屋根板を敷設することが多い。このような場合にも、換気性の高い屋根構造が求められる。
【０００６】
本発明は、このような実情に鑑みてなされ、換気性の良好な軒先換気唐草、横葺き換気屋根、改修用軒先換気唐草及び改修横葺き換気屋根を提供することを目的とする。
【課題を解決するための手段】
【０００７】
（１）本発明に係る軒先換気唐草は、野地板１に断熱下地材２を介して屋根板３が敷設されてなる横葺き屋根に設けられる軒先換気唐草４Ａにあって、
前記野地板１に載置固定される載置部５と、前記載置部５の軒先側で下方に折曲される垂下部７と、前記垂下部７の上部からさらに軒外方に突出する延出部８と、前記延出部８の外端から立ち上がる屋根係止部９と、を一体的に備え、前記延出部８には、前記野地板１と屋根板３の間に外気を導入するための換気口１０を開設している。
【０００８】
このような構成によれば、換気口１０から野地板１と屋根板３の間に外気を導入することで、屋根内部の換気が行われるため、夏場における熱気を速やかに排出できると共に、冬期における結露の発生を防ぐことができ、野地板１や屋根板３を腐食させることなく、屋根の耐久性を向上させることができる。また、屋根内部の換気により、室内においてもじめじめした鬱陶しさから開放される。
【０００９】
（２）このような軒先換気唐草４Ａでは、前記延出部８の両側に、虫や小動物の侵入を阻止するための金網１５を嵌め込むガイド溝８ａ，８ａを形成し、前記換気口１０を金網１５で覆うようにしてもよい。このようにすれば、屋根内部を清浄な状態に保つことができる。
【００１０】
（３）本発明に係る横葺き換気屋根は、前記（１）項又は（２）項に記載の前記軒先換気唐草４Ａを備え、前記軒先換気唐草４Ａの野地板１の軒先側端部を破風板６の外面と一致させ、前記軒先換気唐草４Ａの垂下部７によって、前記野地板１の軒先側端部と破風板６の外面の上縁を覆うと共に、前記軒先換気唐草４Ａの延出部８に開設した換気口１０から導入した外気を、前記断熱下地材２の下面に形成した換気溝１１を経由させて、棟側に設けた換気棟１２から外部に排出させるようにしている。
【００１１】
このような構成によれば、軒先換気唐草４の延出部８に開設した換気口１０から導入した外気を、断熱下地材２の下面に形成した換気溝１１を経由させて、棟側に設けた換気棟１２から外部に排出させることで、 屋根内部の換気が行われるため、夏場における熱気を速やかに排出できると共に、冬期における結露の発生を防ぐことができ、野地板１や屋根板３を腐食させることなく、屋根の耐久性を向上させることができる。また、屋根内部の換気により、室内においてもじめじめした鬱陶しさから開放される。さらに、破風板６の外面と一致させた野地板１の軒先側端部を、破風板６の外面の上縁と共に、前記軒先換気唐草４の垂下部７によって覆うので、従来のように、野地板１の裏面を被覆材で覆う必要がなくなり、施工コストが安くなる。
【００１２】
（４）本発明に係る改修用軒先換気唐草は、屋根改修時に、既設の屋根材４１をそのまま残して、該屋根材４１の上に断熱下地材２を介して敷設される屋根板３を固定するための改修用軒先換気唐草４Ｂにあって、
前記屋根材４１に載置固定される載置部４２と、前記載置部４２の軒先側で上方に折曲される立上部４３と、該立上部４３の上に形成される屋根係止部４４と、該屋根係止部４４と立上部４３との間から軒外方に突出する平坦部４５の軒先端から下方に垂下する垂下部４６と、を一体的に備え、
前記立上部４３には、前記野地板１と屋根板３の間に外気を導入するための換気口４７が開設され、かつ、前記垂下部４６と前記屋根材４１の軒先側端部との間に所定間隔置きに配設される間装部材４８により、唐草本体が前記屋根材４１に対して位置決めされるようにしている。
【００１３】
このような構成によれば、間装部材４８を、例えば、垂下部４６の内側に所定間隔を置いて貼着し、その間装部材４８を既設の屋根材４１の軒先端に当接させることで、改修用軒先換気唐草を容易かつ確実に位置決めすることができ施工作業性が良好であり、施工期間中雨水の漏れをなくし、かつ、廃材を出すことなくコスト安に屋根を改修することができる。そして、間装部材４８，４８間に形成される垂下部４６と既設の屋根材４１の軒先端との間の隙間から導入した外気を換気口４７を通過させて野地板１と屋根板３の間に導入することで屋根内部の換気が行われるため、結露の発生を防ぐことができ、野地板１や屋根板３を腐食させることなく、屋根の耐久性を向上させることができる。また、屋根内部の換気により、室内においてもじめじめした鬱陶しさから開放される。
【００１４】
（５）このような改修用軒先換気唐草４Ｂでは、前記立上部４３の両側に、虫や小動物の侵入を阻止するための金網１５を嵌め込むガイド溝４３ａ，４３ａを形成し、前記換気口４７を前記金網１５によって覆うよにしてもよい。このようにすれば、屋根内部を清浄な状態に保つことができる。
【００１５】
（６）本発明に係る改修横葺き換気屋根は、前記（４）又は（５）項に記載の前記改修用軒先換気唐草４Ｂを備え、前記改修用軒先換気唐草４Ｂの立上部４３に開設した換気口４７から導入した外気を、前記断熱下地材２の下面に形成した換気溝１１を経由させて、棟側に設けた換気棟１２から排出させるようにしている。
【００１６】
このような構成によれば、間装部材４８を垂下部４６と既設の屋根材４１の軒先端との間に所定間隔置きに配設することで、改修用軒先換気唐草を容易かつ確実に位置決めすることができ施工作業性が良好であり、施工期間中雨水の漏れをなくし、かつ、廃材を出すことなくコスト安に屋根を改修することができる。そして、間装部材４８，４８間に形成される垂下部４６と既設の屋根材４１の軒先端との間の隙間から導入した外気を換気口４７を通過させて野地板１と屋根板３の間に導入することで屋根内部の換気が行われるため、夏場における熱気を速やかに排出できると共に、冬期における結露の発生を防ぐことができ、野地板１や屋根板３を腐食させることなく、屋根の耐久性を向上させることができる。また、屋根内部の換気により室内においてもじめじめした鬱陶しさから開放される。
【発明の効果】
【００１７】
本発明に係る軒先換気唐草は、野地板と屋根板の間に外気を導入するための換気口を開設しているので、屋根内部の換気が行われ、夏場における熱気を速やかに排出できると共に、冬期における結露の発生を防ぐことができ、野地板や屋根板を腐食させることなく、屋根の耐久性を向上させることができる。また、室内においてもじめじめした鬱陶しさから開放される。
【００１８】
本発明に係る横葺き換気屋根は、軒先換気唐草の換気口から導入した外気を、断熱下地材の下面に形成した換気溝を経由させて、棟側に設けた換気棟から排出させることで、 屋根内部の換気が行われ、夏場における熱気を速やかに排出できると共に、冬期における結露の発生を防ぐことができる。また、破風板の外面と一致させた野地板の軒先側端部を破風板の外面の上縁と共に、前記軒先換気唐草の垂下部によって覆うので、従来のように、野地板の裏面を被覆材で覆う必要がなくなり、施工コストが安くなる。
【００１９】
本発明に係る改修用軒先換気唐草は、垂下部と既設の屋根材の軒先端との間に間装部材を所定間隔置きに配設することで、改修用軒先換気唐草を容易かつ確実に位置決めすることができ、廃材を出すことなくコスト安に屋根を改修することができる。そして、換気口から野地板と屋根板の間に外気を導入することで、屋根内部の換気が行われるため、夏場における熱気を速やかに排出できると共に、冬期における結露の発生を防ぐことができ、野地板や屋根板を腐食させることなく、屋根の耐久性を向上させることができる。また、屋根内部の換気により、室内においてもじめじめした鬱陶しさから開放される。
【００２０】
本発明に係る改修横葺き換気屋根は、改修用軒先換気唐草の垂下部と既設の屋根材の軒先端との間に間装部材を所定間隔置きに配設することで、改修用軒先換気唐草を容易かつ確実に位置決めすることができ、廃材を出すことなくコスト安に屋根を改修することができる。そして、改修用軒先換気唐草の換気口から野地板と屋根板の間に導入した外気を断熱下地材の下面に形成した換気溝を経由させて、棟側に設けた換気棟から排出させることで、 屋根内部の換気が行われ、夏場における熱気を速やかに排出できると共に、冬期における結露の発生を防ぐことができ、野地板１や屋根板３を腐食させることなく、屋根の耐久性を向上させることができる。また、屋根内部の換気により、室内においてもじめじめした鬱陶しさから開放される。
【発明を実施するための最良の形態】
【００２１】
以下に、本発明の最良の実施の形態に係る軒先換気唐草、横葺き換気屋根、改修用軒先換気唐草及び改修横葺き換気屋根について図面を参照しつつ詳細に説明する。
〔実施の形態１〕
本実施の形態は、図１乃至図５に示され、図１は軒先換気唐草４Ａの断面図、図２は平面図、図３は斜視図、図４（ａ）は横葺き換気屋根Ｒ１の軒棟方向の軒先の断面図、（ｂ）は桁行き方向の断面図、図５は桁行き方向の屋根接合部の断面図、図６は横葺き換気屋根全体の断面図（右半分は省略）である。これらの図に示すように、この軒先換気唐草４Ａは、野地板１に断熱下地材２を介して屋根板３が敷設されてなる横葺き換気屋根Ｒ１に設けられ、以下のように構成される。
【００２２】
その軒先換気唐草４Ａは、野地板１に載置固定される載置部５と、その載置部５の軒先側で下方に折曲される垂下部７と、前記垂下部７の上部からさらに軒外方に突出する延出部８と、前記延出部８の外端から立ち上がる屋根係止部９と、を一体的に備えており、その延出部８には、野地板１と屋根板３の間に外気を導入するための複数の長孔状の換気口１０を所定間隔置きに開設している（図２参照）。
【００２３】
そして、この横葺き換気屋根Ｒ１では、野地板１の軒先側端部を破風板６の外面と一致させ（図４（ａ）参照）、軒先換気唐草４Ａの垂下部７によって、野地板１の軒先側端部と破風板６の外面の上縁を覆うと共に、軒先換気唐草４Ａの延出部８に開設した換気口１０から導入した外気を、断熱下地材２の下面に形成した換気溝１１（図４（ｂ）参照）を経由させて、棟側に設けた換気棟１２から排出させるようにしている（図６参照）。
【００２４】
このような構成により、屋根内部の換気が行われるため、夏場における熱気を速やかに排出できると共に、冬期における結露の発生を防ぐことができ、野地板１や屋根板３を腐食させることなく、屋根の耐久性を向上させることができる。そして、この横葺き換気屋根Ｒ１では、破風板６の外面と面一状に一致させた野地板１の軒先側端部を破風板６の外面の上縁と共に、軒先換気唐草４Ａの垂下部７によって覆うので、従来のように、野地板１の裏面が樋１３で跳ね返った雨水に叩かれることがなくなるため、腐食しなくなり、また、耐火構造の場合における裏面を被覆材で覆う必要がなくなり施工コストが安くなる。
【００２５】
さらに詳しく説明すると、軒先換気唐草４Ａは（図１参照）、例えば、アルミ合金（又は硬質樹脂）の引抜き材等からなり、垂下部７の内側下部には突部７ａが設けられ、この突部７ａを破風板６の外面に当接させることによって、垂下部本体と破風板６との間に所定の隙間を形成して軒先換気唐草４Ａの位置決めを行うことができ、位置決めされた軒先換気唐草４Ａは、平坦な載置部５に釘、ねじ釘等の止着具１４を打ち込むことによって野地板１に固定される。
【００２６】
軒先換気唐草４Ａの換気口１０は、例えば、８×１６ｍｍ程度の長孔（または円孔）を４０ｍｍピッチ程度に開設すれば、外気を充分に導入することができる。その換気口１０が形成されている延出部８の両側にはガイド溝８ａ，８ａが形成され、そのガイド溝８ａ，８ａに、虫や小動物の侵入を阻止するための金網１５をスライドさせて嵌め込めるようにしており、これにより、屋根内部の清浄化が可能となる。その金網１５は、例えば、ＳＵＳ３０４の０．２５φ×１６メッシュ程度の素材を用いることができる。
【００２７】
延出部８の外端から立ち上がる屋根係止部９は、延出部８に直交するように形成される垂直部１６の上部に形成され、屋根板３のコ字状に折曲された被係止部３ａを係止させる係止突辺９ａと、屋根板３の被係止部３ａの先端及び化粧板１７（図４（ａ）参照）の上部に形成された被係入部を係入させる係入凹部９ｂと、断熱下地材２の軒先側端部を当接状態に受止める受面部９ｃと、を備えている。その化粧板１７の下部に形成される被係止部は、垂直部１６の下端に係止される。
【００２８】
野地板１と屋根板３の間に介装される断熱下地材２は、例えば、ビーズ法ポリスチレンフォーム等からなり、その下面には、軒棟方向に所定間隔を置いて外気を通過させるための換気溝１１が軒棟方向に形成されており、横葺き換気屋根Ｒ１が葺成された状態では、軒先側から棟側に設けた換気棟１２まで外気の流通が可能となる。例えば、換気棟１２の溝幅は２０ｍｍ，深さ１０ｍｍ，ピッチ４０ｍｍ程度に形成すれば、外気の流通が良好となる。なお、この換気溝１１の位置は換気口１０の位置と対応させるのが好ましいが、換気口１０と換気溝１１の入口の間には外気を流通させるための充分なスペース１８（図４（ａ）参照）が形成されているため、特に対応させなくても外気を無理なく換気溝１１内に流通させることができる。また、野地板１と断熱下地材２との間には、防水シート１９が敷設されるが、防水シート１９を敷設する前に、軒先換気唐草４Ａを前もって取り付けておき、軒先換気唐草４Ａを防水シート１９で覆うようにするのが好ましい。
【００２９】
断熱下地材２の上に葺成される屋根板３は、軒先側から順次棟側へと葺成される。まず、屋根板３，…を軒先側から桁行き方向に向けて適宜配置し、例えば、図５に示すように、桁行き方向に隣接し合う屋根板３，３の端縁同士を接合板２０によって接合する。即ち、接合板２０の両係止片２０ａ，２０ａに、屋根板３，３の折曲片３ｂ，３ｂを係止させた状態で、屋根板３を接合板２０の上方端部側にスライドさせ、屋根板３，３の折曲片３ｂ，３ｂより内側の部分を横止水部材２０ｂ，２０ｂに押圧状態で当接させると共に、接合板２０の下方折曲片（図示省略）に屋根板３の被係止部３ａを係止させる。
【００３０】
屋根板３の桁行方向の端部は、例えば、図４（ｂ）に示すように、ケラバ唐草２１を介して野地板１に固定される。即ち、ケラバ唐草２１は、例えば、アルミ合金（又は硬質樹脂）の引抜き材等からなり、平坦な載置部２２の外端から下方に垂下する垂下部２３の内側下部には突部２３ａが設けられ、この突部２３ａを破風板６の外面に当接させることによって、垂下部本体と破風板６との間に所定の隙間を形成してケラバ唐草２１の位置決めを行うことができ、位置決めされたケラバ唐草２１は、載置部２２に釘、ねじ釘等の止着具１４を打ち込むことによって野地板１に固定される。そして、垂下部２３の上部から軒外方に延出される延出部２４の先端に形成される垂直辺部２５の下端にケラバカバー２６の下部に形成された被係止部が係止され、そのケラバカバー２６の上部内側に形成された固定部２６ａに、ビス止め又はリベット止め２７によって屋根板３の端部が固定される。
【００３１】
一方、軒棟方向では、例えば、図４（ａ）に示すように、軒先側の屋根板３が軒先換気唐草４Ａによって係止状態に固定され、順次、棟側に向けて隣接し合う屋根板３，３の端縁同士が、吊り子２９，…によって接合される。即ち、まず、軒先換気唐草４Ａの受面部９ｃによって断熱下地材２の軒先側端部が受け止められ、屋根板３の被係止部３ａが、軒先換気唐草４Ａの係止突辺９ａに係止され、さらに、その被係止部３ａの先端が化粧板１７の上部に形成された被係止部と共に係入凹部９ｂに係入される。これにより、屋根板３の軒先側が化粧板１７及び断熱下地材２と共に固定される。
【００３２】
次いで、断熱下地材２の棟側端部を、野地板１に載置された吊り子２９の中間段部２９ｂに嵌めて、吊り子２１の載置部２９ａを釘、ねじ釘等の止着具１４で野地板１に止着した後、中間段部２９ｂに、棟側の断熱下地材２の軒先側端部を載せ、その断熱下地材２の軒先側端部に形成されている被係止孔を中間段部２９ｂから立ち上がる係止突部２９ｃに係止させた後、中間段部２９ｂの先端にコ字状に折曲形成される係止部２９ｄに軒側の屋根板３の被係止端３ｃを係止させた後、棟側の屋根板３の被係止部３ａをその係止部２９ｄに係止させる。以下、同様の手順で、順次、屋根板３，…を葺成する。
【００３３】
棟に配設される換気棟１２は、例えば、図６に示すように、棟側の屋根板３，３に対して釘、ねじ釘等の止着具１４によって固定した固定アングル３１，３１にビス止め３２，３２により固定される。なお、換気棟１２の本体下部に設けられる載置部と固定アングル３１，３１の載置部の間には、防水パッキン３３，３３が間装される。また、換気棟１２内に立設される捨水切り３４，３４と、棟側の断熱下地材２，２及び屋根板３，３との間には、断熱下地材２，２に軒棟方向に形成される換気溝１１，１１から排出される外気を外部に導出させるための導出路（幅１０ｍｍ程度）３５，３５が形成されている。また、捨水切り３４，３４の内側には断熱材が貼着され、その間に室内の換気を行うための排気通路３６が形成されている。
【００３４】
以上のように葺成された横葺き換気屋根Ｒ１の換気は、例えば、図６に矢印Ｙ１〜Ｙ５で示すように行われる。まず、軒先換気唐草４Ａの換気口９から導入した外気（矢印Ｙ１参照）が、断熱下地材２の下面に形成した換気溝１１を経由して（矢印Ｙ２参照）、棟側の導出路３４を通り（矢印Ｙ３参照）、換気棟１２の両側に形成された排気孔３７，３７から外部に排出される（矢印Ｙ４参照）。また、室内からの排気は排気通路３５を経由して、同様に、排気孔３７，３７から外部に排出される（矢印Ｙ５参照）。このように、本実施の形態では、換気棟１２を利用して室内側の換気と屋根の換気を併せて行えるようにしている。
【００３５】
〔実施の形態２〕
本実施の形態は、図７乃至図１１に示され、図７は改修用軒先換気唐草４Ｂの断面図、図８は平面図、図９は斜視図、図１０（ａ）は改修横葺き換気屋根Ｒ２の軒棟方向の軒先の断面図、（ｂ）は桁行き方向の断面図、図１１は改修横葺き換気屋根全体の断面図（右半分は省略）である。これらの図に示すように、この改修用軒先換気唐草４Ｂは、既設の横葺き屋根に設けられている屋根材４１をそのまま残して、該屋根材４１の上に断熱下地材２を介して敷設される屋根板３の軒先端を固定すると共に、軒先の外観を向上させるために設けられ、以下のように構成される。なお、前実施の形態と同一乃至は同等部材については、同一符号を付し、説明を省略する。
【００３６】
その改修用軒先換気唐草４Ｂは、屋根材４１に載置固定される載置部４２と、その載置部４２の軒先側で上方に折曲される立上部４３と、該立上部４３の上にさらに立ち上がりかつ軒先側に折曲状に形成される屋根係止部４４と、該屋根係止部４４と立上部４３との間から軒外方に突出する平坦部４５の軒先端から下方に垂下する垂下部４６と、を一体的に備え、その立上部４３には、野地板１と屋根板３の間に外気を導入するための換気口４７が開設され、かつ、その垂下部４６と屋根材４１の軒先側端部との間に所定間隔置きに配設される間装部材４８により、唐草本体が前記屋根材４１に対して位置決めされるようにしている。
【００３７】
このような構成の改修用軒先換気唐草４Ｂを用いた改修用軒先換気唐草４Ｂは、間装部材４８を垂下部４６と既設の屋根材４１の軒先端との間に所定間隔置きに配設することで、改修用軒先換気唐草４Ｂを容易かつ確実に位置決めすることができ、廃材を出すことなくコスト安に屋根を改修することができる。そして、間装部材４８，４８間に形成される垂下部４６と既設の屋根材４１の軒先端との間の隙間から導入した外気を換気口４７から野地板１と屋根板３の間に導入した外気を断熱下地材２の下面に形成した換気溝１１を経由させて、棟側に設けた換気棟１２から排出させることで、 屋根内部の換気が行われ、これにより、夏場における熱気を速やかに排出できると共に、冬期における結露の発生を防ぐことができ、野地板１や屋根板３を腐食させることなく、屋根の耐久性を向上させることができる。また、屋根内部の換気により、室内においてもじめじめした鬱陶しさから開放される。なお、図１０（ａ）、図１１における符号４９は既設の樋、５０は既設の破風板を示す。
【００３８】
さらに詳しく説明すると、既設の屋根材４１は、例えば、石綿スレート屋根や、アスファルトルーフィング、野地板等からなる。軒先換気唐草４Ｂは（図７参照）、例えば、アルミ合金（又は硬質樹脂）の引抜き材等からなり、垂下部４６の内側には位置決め用の間装部材４８が予め貼着されており、上述のように、この間装部材４８を屋根材４１の軒先端に当接させることによって容易かつ確実に位置決めを行うことができ、位置決めされた軒先換気唐草４Ａは、平坦な載置部４２に釘、ねじ釘等の止着具１４を打ち込むことによって野地板１に固定される。
【００３９】
軒先換気唐草４Ｂの換気口４７は、例えば、８×１６ｍｍ程度の長孔（または円孔）を４０ｍｍピッチ程度に開設すれば、外気を充分に導入することができる。その換気口４７が形成されている立上部４３の両側にはガイド溝４３ａ，４３ａが形成され、そのガイド溝４３ａ，４３ａに、虫や小動物の侵入を阻止するための金網１５をスライドさせて嵌め込めるようにしており、これにより、屋根内部の清浄化が可能となる。その金網１５は、例えば、ＳＵＳ３０４の０．２５φ×１６メッシュ程度の素材を用いることができる。
【００４０】
軒先換気唐草４Ｂの立上部４３の上に折曲状に形成される屋根係止部４４は、屋根板３のコ字状に折曲された被係止部３ａを係止させる係止突辺４４ａと、その背面側に断熱下地材２の軒先側端部を当接状態に受止める受面部４４ｃと、を備えている。このような軒先換気唐草４Ｂを用いた横葺き換気屋根Ｒ２の施工手順については、前実施の形態と同様に、軒先側から順次棟側へと施工され、前実施の形態と同様の手順で接合板２０及び吊り子２９により屋根板３，…が既設の屋根材４１の上に葺成される。なお、接合板２０及び吊り子２９による屋根板３の桁行方向及び軒棟方向の固定方法は前実施の形態と同様であり説明を省略する。また、棟に配設される換気棟１２の取付方法についても、前実施の形態と同様であり、説明を省略する。
【００４１】
屋根板３の桁行方向の端部を固定するケラバ唐草２１（前実施の形態と同じもの）は、例えば、図１０（ｂ）に示すように、既設のケラバ唐草５１の上に固定される。即ち、ケラバ唐草２１は、例えば、アルミ合金（又は硬質樹脂）の引抜き材等からなり、平坦な載置部２２の外端から下方に垂下する垂下部２３の内側下部には突部２３ａが設けられ、この突部２３ａを既設のケラバ唐草５１のケラバ水切り５１ａの外面に当接させることによって、垂下部本体とケラバ水切り５１ａとの間に所定の隙間を形成してケラバ唐草２１の位置決めを行うことができ、位置決めされたケラバ唐草２１は、載置部２２に釘、ねじ釘等の止着具１４を打ち込むことによって既設の軒先端に固定される。そして、垂下部２３の上部から軒外方に延出される延出部２４の先端に形成される垂直辺部２５の下端にケラバカバー２６の下部が係止され、そのケラバカバー２６の上部内側に形成された固定部２６ａに、ビス止め又はリベット止め２７によって、屋根板３の端部が固定される。
【００４２】
以上のように構成される横葺き換気屋根Ｒ２の換気は、例えば、図１１に矢印Ｙ１１〜Ｙ１５で示すように行われる。まず、間装部材４８，４８間に形成される垂下部４６と既設の屋根材４１の軒先端との間の隙間から導入した外気（矢印Ｙ１１参照）を軒先換気唐草４Ｂの換気口４７を通過させて（矢印Ｙ１２参照）、断熱下地材２の下面に軒棟方向に形成した換気溝１１を経由させ（矢印Ｙ１３参照）、棟側の導出路３４を通り（矢印Ｙ１４参照）、換気棟１２の両側に形成された排気孔３５，３５から外部に排出される（矢印Ｙ１５参照）。これにより、前述したように、夏場における熱気を速やかに排出できると共に、冬期における結露の発生を防ぐことができ、野地板１や屋根板３を腐食させることなく屋根の耐久性を向上させることができる。
【００４３】
なお、本発明は、実施の形態に限定されることなく、発明の要旨を逸脱しない限りにおいて、必要に応じて、適宜、設計変更、改良等は自由である。
【図面の簡単な説明】
【００４４】
【図１】本発明の実施の形態に係る軒先換気唐草の断面図である。
【図２】同平面図である。
【図３】同斜視図である。
【図４】同横葺き換気屋根の断面図で、（ａ）は軒先側の軒棟方向の断面図、（ｂ）は軒先側の桁行方向の断面図である。
【図５】同横葺き換気屋根の桁行方向の接合部の断面図である。
【図６】同横葺き換気屋根全体の断面図である。
【図７】本発明の実施の形態に係る改修用軒先換気唐草の断面図である。
【図８】同平面図である。
【図９】同斜視図である。
【図１０】同改修横葺き換気屋根の断面図で、（ａ）は軒先側の軒棟方向の断面図、（ｂ）は軒先側の桁行方向の断面図である。
【図１１】同改修横葺き換気屋根全体の断面図である。
【図１２】従来の横葺き換気屋根の軒先側の断面図である。
【符号の説明】
【００４５】
１…野地板、２…断熱下地材、３…屋根板、４Ａ…軒先換気唐草、４Ｂ…改修用軒先換気唐草、５…載置部、６…破風板、７…垂下部、８…延出部、８ａ…ガイド溝、９…屋根係止部、１０…換気口、１１…換気溝、１２…換気棟、４１…屋根材、４２…載置部、４３…立上部、４３ａ…ガイド溝、４４…屋根係止部、４５…平坦部、４６…垂下部、４７…換気口、４８…間装部材
【図１】
2005325543.tif 000003
【図２】
2005325543.tif 000004
【図３】
2005325543.tif 000005
【図４】
2005325543.tif 000006
【図５】
2005325543.tif 000007
【図６】
2005325543.tif 000008
【図７】
2005325543.tif 000009
【図８】
2005325543.tif 000010
【図９】
2005325543.tif 000011
【図１０】
2005325543.tif 000012
【図１１】
2005325543.tif 000013
【図１２】
2005325543.tif 000014